(57)【要約】【課題】かご室天井の下側の照明板の全面を透過させた光でかご室内を照明することができない等の課題があった。【解決手段】この発明に係るエレベーターかご室照明装置は、一方向に延びた軸孔１３を有する、第１の支持部材６ａ及び第２の支持部材６ｂと、軸孔１３に端部が遊挿され軸孔に沿って移動可能な移動手段と、移動手段が固定された第１の片部１７と該第１の片部１７に対向した第２の片部１８とを有する、第１の軸取付金具８ａ及び第２の軸取付金具８ｂと、第２の片部１８に両端部が回転自在に支持されて設けられているとともに一方向に対して直角方向に延びた切欠部１１を有するガイドレール９と、切欠部１１に沿って移動可能なＬＥＤモジュール１２とを備え、第２の片部１８には、縦方向に間隔を空けた複数の縦位置調整孔２０が形成されている。【選択図】図６
2012171780.tif 000002
【特許請求の範囲】
【請求項１】
かご室天井の天蓋に取付けられた筒状の吊天井と、
この吊天井に対向して取付けられ一方向に延びた軸孔をそれぞれ有する、第１の支持部材及び第２の支持部材と、
それぞれの前記軸孔に端部が遊挿され軸孔に沿って移動可能な移動手段と、
それぞれの前記移動手段が固定された第１の片部と該第１の片部に対向した第２の片部とを有する、第１の軸取付金具及び第２の軸取付金具と、
前記第１の軸取付金具及び前記第２の軸取付金具のそれぞれの前記第２の片部に両端部が回転自在に支持されて設けられているとともに前記一方向に対して直角方向に延びた切欠部を有するガイドレールと、
前記切欠部に沿って移動可能に設けられたスライド取付金具と、
このスライド取付金具に固定されかご室内を照明する光源体とを備え、
前記第１の片部及び前記第２の片部の少なくとも一方には、縦方向に間隔を空けて複数形成された縦位置調整孔が形成されており、
前記第１の片部の該縦位置調整孔に前記移動手段の端部が挿入され、または該第２の片部の該縦位置調整孔に前記ガイドレールの端部が挿入されて、該ガイドレールの高さ位置が調整されることを特徴とするエレベーターかご室照明装置。
【請求項２】
前記移動手段は、ボルトと、このボルトのネジ部に遊挿され前記第１の支持部材及び前記第２の支持部材の内壁面を転動するローラとを備えたことを特徴とする請求項１に記載のエレベーターかご室照明装置。
【請求項３】
前記移動手段は、前記ネジ部に蝶ナットを締め付けることで前記第１の軸取付金具及び前記第２の軸取付金具に固定されることを特徴とする請求項２に記載のエレベーターかご室照明装置。
【請求項４】
前記スライド取付金具は、蝶ネジを締め付けることで前記ガイドレールに固定されることを特徴とする請求項１〜３の何れか１項に記載のエレベーターかご室照明装置。
【請求項５】
前記光源体は、複数個のＬＥＤを有するＬＥＤモジュールであることを特徴とする請求項１〜４の何れか１項に記載のエレベーターかご室照明装置。
【請求項６】
前記天蓋の上面に設けられた電源装置と、
前記ガイドレールの内部に前記切欠部に沿って一対設けられているとともに前記電源装置と電気的に接続された電極レールと、
この電極レールに電気的に接続された配線の端部に設けられたオス側コネクタと、
前記光源体に設けられ前記オス側コネクタと接続されるメス側コネクタと
を備えたことを特徴とする請求項１〜５の何れか１項に記載のエレベーターかご室照明装置。
【発明の詳細な説明】
【技術分野】
【０００１】
この発明は、かご室天井に設けられかご室内を照明するエレベーターかご室照明装置に関する。
【背景技術】
【０００２】
エレベーターかご室照明装置では、通常締結部品により天井内側の定位置に光源体である蛍光灯等が設置され、照明板などを介して透過させた光でかご室内を照明する方法が一般的である。
このエレベーターかご室照明装置として、例えば、上下方向及び水平方向にそれぞれ移動できるスライド機構と、回転軸と有するボックス状の照明ユニットを備えることで保守性の向上と、意匠性の確保とを可能にしたものが知られている（例えば、特許文献１参照）。
【０００３】
このものの場合、照明ユニットの上下の双方に開口部を設けることが可能であるために、例えば照明ユニットの上側開口部、下側開口部にそれぞれ異なる色、柄の反射板、照明板を設けることで意匠の多様性が確保され、さらにはボックス状の照明ユニットが回転機構を有することで保守点検が容易になるという効果がある。
【先行技術文献】
【特許文献】
【０００４】
【特許文献１】特開２００７-３２６６９７号公報
【発明の概要】
【発明が解決しようとする課題】
【０００５】
しかしながら、このエレベーターかご室照明装置の場合には、照明ユニット内に光源体の配置が制限されるので、かご室天井の下側の照明板の全面を透過させた光でかご室内を照明することができず、また照明ユニットの大きさや開口部の広さによって光ムラが生じるという問題点があった。
特に、光源体としてＬＥＤ素子を用いた場合、光の指向性が強いので、エレベーターかご室照明装置をかご室に据付けした後、点灯して光ムラがあることを見出すことがある。
この場合、この光ムラを解消するために光源体の配置を変更しようとした場合、照明ユニット内に制限されてしまうので、対策部品の追加や構造を変更せざるを得ない場合もあるという問題点があった。
【０００６】
この発明は、かかる問題点を解決することを課題とするものであって、光源体の配置の自由度が高く、また光ムラや色ムラに対して、光源体の位置、照明角度を簡単に調整することで対応することができるエレベーターかご室照明装置を得ることを目的とするものである。
【課題を解決するための手段】
【０００７】
この発明に係るエレベーターかご室照明装置は、かご室天井の天蓋に取付けられた筒状の吊天井と、この吊天井に対向して取付けられ一方向に延びた軸孔をそれぞれ有する、第１の支持部材及び第２の支持部材と、それぞれの前記軸孔に端部が遊挿され軸孔に沿って移動可能な移動手段と、それぞれの前記移動手段が固定された第１の片部と該第１の片部に対向した第２の片部とを有する、第１の軸取付金具及び第２の軸取付金具と、前記第１の軸取付金具及び前記第２の軸取付金具のそれぞれの前記第２の片部に両端部が回転自在に支持されて設けられているとともに前記一方向に対して直角方向に延びた切欠部を有するガイドレールと、前記切欠部に沿って移動可能に設けられたスライド取付金具と、このスライド取付金具に固定されかご室内を照明する光源体とを備え、
前記第１の片部及び前記第２の片部の少なくとも一方には、縦方向に間隔を空けて複数形成された縦位置調整孔が形成されており、
前記第１の片部の該縦位置調整孔に前記移動手段の端部が挿入され、または該第２の片部の該縦位置調整孔に前記ガイドレールの端部が挿入されて、該ガイドレールの高さ位置が調整される。
【発明の効果】
【０００８】
この発明に係るエレベーターかご室照明装置によれば、一方向に延びた軸孔を有する支持部材と、一方向に対して直角に延びた切欠部を有するガイドレールと、このガイドレールの切欠部に沿って移動可能な光源体と、ガイドレールを回転自在に支持しているとともに縦位置調整孔を有する軸取付金具とを備えているので、光源体の３次元での配置の自由度が高く、また光ムラや色ムラに対しては、光源体の位置、照明角度を簡単に調整することで対応することができる
【図面の簡単な説明】
【０００９】
【図１】この発明の実施の形態１のエレベーターかご室照明装置をかご室内から視たときの斜視図である。
【図２】図１の矢印Ａに沿ってエレベーターかご室照明装置の内部を視たときの断面図である。
【図３】図２のＩＩＩ-ＩＩＩ線に沿った矢視断面図である。
【図４】図３のＩＶ-ＩＶ線に沿った矢視断面図である。
【図５】図３の一点鎖線で示すＢの部位をかご室内から視たときの詳細斜視図である。
【図６】図２の一点鎖線で示すＣの部位の詳細図である。
【図７】（ａ）は図６の第１の軸取付金具、ボルト及びガイドレールの関係を示す図、（ｂ）は（ａ）の図６の第１の軸取付金具の右側面図である。
【図８】図６の矢印Ｄに沿ってエレベーターかご室照明装置の内部を視たときの断面図である。
【発明を実施するための形態】
【００１０】
実施の形態１．
以下、この発明の実施の形態１のエレベーターかご室照明装置１（以下、かご室照明装置と略称する。）を図に基づいて説明する。
なお、かご室照明装置１は、天蓋４にガイドレール９が複数本並列に配置され、また各ガイドレール９に複数のＬＥＤモジュール１２が配置されているが、それぞれのガイドレール９の構造は同じであり、単体のガイドレール９で説明する。
図１は、この発明の実施の形態１のかご室照明装置１をかご室２内から視たときの斜視図、図２は、図１の矢印Ａに沿ってかご室照明装置１の内部を視たときの断面図、図３は、図２のＩＩＩ-ＩＩＩ線に沿った矢視断面図、図４は、図３のＩＶ-ＩＶ線に沿った矢視断面図、図５は、図３の一点鎖線で示すＢの部位をかご室２内から視たときの詳細斜視図、図６は、図２の一点鎖線で示すＣの部位の詳細図である。
【００１１】
かご室２内のかご室天井３の上蓋となる天蓋４には、内側に四面を囲った筒状の吊天井５が天蓋４に吊り下げて取付けられている。吊天井５の下部には、照明板２５が取り付けられている。この吊天井５のうち、かご室２の出入口側の第１の吊天井部５ａには、断面クランク形状の第１の支持部材６ａがリベット７で固定されている。かご室２の奥側の第２の吊天井部５ｂには、断面クランク形状の第２の支持部材６ｂがリベット７で固定されている。第１の支持部材６ａ及び第２の支持部材６ｂには、戸の開閉方向に延びて形成された軸孔１３がそれぞれ対向して形成されている。
【００１２】
第１の支持部材６ａと第２の支持部材６ｂとの間には、第１の軸取付金具８ａ、第２の軸取付金具８ｂを介してガイドレール９がボルト１０により固定されている。
このガイドレール９は、底面部に第１の支持部材６ａから第２の支持部材６ｂに向かって延びた切欠部１１が形成された断面口の字形状である。このガイドレール９には、切欠部１１に沿って移動可能なスライド取付金具２１を介して光源体であるＬＥＤモジュール１２が３個設けられている。各ＬＥＤモジュール１２には、それぞれ３個のＬＥＤ２６が設けられている。
【００１３】
断面クランク形状の第１の支持部材６ａ及び第２の支持部材６ｂには、エレベーターの戸の開閉方向に転動可能な第１のローラ１５ａ及び第２のローラ１５ｂが設けられている。第１のローラ１５ａ及び第２のローラ１５ｂは、ボルト１４のネジ部が遊挿している。ボルト１４のネジ部は、軸孔１３を介して第１の軸取付金具８ａ、第２の軸取付金具８ｂを貫通している。このボルト１４のネジ部に蝶ナット１６が螺着されており、この蝶ナット１６を締め付けることで、ボルト１４は、第１の軸取付金具８ａ、第２の軸取付金具８ｂにそれぞれ固定される。
ここで、第１のローラ１５ａ及びボルト１４、第２のローラ１５ｂ及びボルト１４でそれぞれ移動手段を構成している。
【００１４】
第１の軸取付金具８ａ、第２の軸取付金具８ｂは、コの字形状に折曲されており、ボルト１４のねじ部が貫通した固定孔１９を有する第１の片部１７と、この第１の片部１７に対向した第２の片部１８とを有している。
図７（ａ），（ｂ）に示すように、第２の片部１８には、縦方向に等分間隔で形成された複数の縦位置調整孔２０が形成されている。この複数の縦位置調整孔２０から選択した縦位置調整孔２０にガイドレール９の端部を挿入することで、ガイドレール９の高さ位置が調整される。このガイドレール９は、ボルト１０を締め付けることで第２の片部１８に固定される。
【００１５】
また、図５に示すように、ガイドレール９には、切欠部１１に沿って移動可能なスライド取付金具２１が設けられている。このスライド取付金具２１には、ＬＥＤモジュール１２の端部が固定ネジ２４により固定されている。ＬＥＤモジュール１２の両端部を支持した一対のスライド取付金具２１には、ネジ部がガイドレール９の切欠部１１を通った蝶ネジ２２が設けられている。この蝶ねじ２２は、ガイドレール９の内側に設けられた挟み金具３３に螺着している。
【００１６】
ガイドレール９は、樹脂等の絶縁体で構成されている。このガイドレール９は、図８に示すように、内側底面に金属性の電極レール３２が長手方向に延びて２本、接着剤や両面テープ等で接着されている。２本の電極レール３２は、天蓋４に取付けられた電源装置３０から第１の配線３５（図６）を通じて直流電流を導通するためのプラス極とマイナス極の電気的配線の役割を有している。
電源装置３０から導出した第１の配線３５は、先端部の被覆部が削除されており、この先端部が２本の電極レール３２の端部にそれぞれ電気的に接続されている。
蝶ネジ２２で固定された挟み金具３３には、凹部形状の電極端子３４が締結されている。この挟み金具３３と電極端子３４との間には、被覆部が削除された第２の配線３８の一端部が挟まれている。この第２の配線３８の他端部には、オス側コネクタ３７が設けられている。このオス側コネクタ３７は、各ＬＥＤモジュール１２毎に設けられたメス側コネクタ３６に電気的に接続される。
オス側コネクタ３７がメス側コネクタ３６に接続されることで、電源装置３０からの電流は、第１の配線３５、電極レール３２、電極端子３４、第２の配線３８を通じてＬＥＤモジュール１２の各ＬＥＤ２６に供給される。
【００１７】
蝶ネジ２２は、挟み金具３３に螺着することで、挟み金具３３は下側に移動し、電極端子３４は電極レール３２に面接触し、またスライド取付金具２１がガイドレール９に対して固定される、即ちＬＥＤモジュール１２がガイドレール９に対して固定される。
【００１８】
この実施の形態によるかご室照明装置１によれば、ＬＥＤモジュール１２は、スライド取付金具２１を介してガイドレール９の切欠部１１に沿って図３に示す矢印Ｌ方向の移動が可能であり、第１のローラ１５ａ及び第２のローラ１５ｂの第１の支持部材６ａの内部、第２の支持部材６ｂの内部の転動により、矢印Ｍ方向の移動が可能である。
また、ガイドレール９の端部が挿入される、第１の軸取付金具８ａ及び第２の軸取付金具８ｂの各第２の片部１８に形成された縦位置調整孔２０の位置を変更することで、図４に示す矢印Ｈ方向のＬＥＤモジュール１２の移動が可能である。
さらに、ＬＥＤモジュール１２は、ガイドレール９の軸心を中心に図４に示す矢印Ｋ方向に回転することが可能である。
【００１９】
従って、ＬＥＤモジュール１２の配置の自由度が高く、また光ムラや色ムラに対して、ＬＥＤモジュール１２の位置、照明角度を簡単に調整することで対応することができる
また、各ガイドレール９に対応して、第１の軸取付金具８ａ、第１のローラ１５ａ、第２の軸取付金具８ｂ、第２のローラ１５ｂを揃えることで、複数のガイドレール９を第１の支持部材６ａ、第２の支持部材６ｂに取付けることが簡単にできる。
また、ＬＥＤモジュール１２の増減は、スライド取付金具２１，挟み金具３３を増減することで簡単に調整することができる。
また、かご室照明装置１の保守点検をする場合に、ガイドレール９を第１の支持部材６ａ、第２の支持部材６ｂから外して行うことができるため、作業者が脚立や作業台に乗り、上を向いて作業を行う時間が短縮される。
【００２０】
また、移動手段は、ボルト１４と、このボルト１４のネジ部に遊挿され第１の支持部材６ａ及び第２の支持部材６ｂの内壁面を転動する第１のローラ１５ａ及び第２のローラ１５ｂとを備えたので、移動手段は、戸の開閉方向に延びて形成された、第１の支持部材６ａ及び第２の支持部材６ｂの軸孔１３に沿って円滑に移動し、ガイドレール９を所定の位置に円滑に移動することができる。
【００２１】
移動手段は、ネジ部に蝶ナット１６を締め付けることで第１の軸取付金具８ａ及び第２の軸取付金具８ｂに固定されるので、工具を用いることなく、簡単に固定される。
【００２２】
また、スライド取付金具２１は、蝶ネジ２２を締め付けることでガイドレール９に固定されるので、工具を用いることなく、簡単に固定される。
【００２３】
また、天蓋の上面に設けられた電源装置３０と、ガイドレール９の内部に切欠部１１に沿って一対設けられているとともに電源装置３０と電気的に接続された電極レール３２と、この電極レール３２に電気的に接続された第２の配線３８の端部に設けられたオス側コネクタ３７と、ＬＥＤモジュール１２に設けられオス側コネクタ３７と接続されるメス側コネクタ３６とを備えたので、電源装置３０とＬＥＤモジュール１２との電気的な接続に要する、新たに端子や結線の加工、配線の取回しの作業等の簡略化が可能となり、工作の負担も低減される。
【００２４】
なお、上記の実施の形態では、第１の軸取付金具８ａ、第２の軸取付金具８ｂのそれぞれの第２の片部１８に縦位置調整孔２０を形成したが、第１の片部１７に縦方向に間隔を空けて複数の縦位置調整孔を形成し、この縦位置調整孔にボルト１４のネジ部を挿入して、ガイドレール９の高さ位置を調整するようにしてもよい。
また、第１の軸取付金具、第２の軸取付金具において、第１の片部及び第２の片部の両方に縦位置調整孔を形成してもよい。
また、光源体は、複数のＬＥＤ２６を有するＬＥＤモジュール１２は一例であり、蛍光体、有機ＥＬ等であってもよい。
【００２５】
また、移動手段は、ボルト１４、ローラ１５ａ，１５ｂを有しているが、支持部材６ａ，６ｂの軸孔１３に沿って軸取付金具８ａ，８ｂを移動可能にする、例えば単なる棒であってもよい。
さらに、蝶ナット１６についても、移動手段を軸取付金具８ａ，８ｂに固定できるものであればよく、このものに限定されない。
さらにまた、蝶ネジ２２についても、スライド取付金具２１をガイドレール９に固定されるものであれば、このものに限定されない。
【符号の説明】
【００２６】
１  エレベーターかご室照明装置、２  かご室、３  かご室天井、４  天蓋、５  吊天井、５ａ  第１の吊天井部、５ｂ  第２の吊天井部、６ａ  第１の支持部材、６ｂ  第２の支持部材、７  リベット、８ａ  第１の軸取付金具、８ｂ  第２の軸取付金具、９  ガイドレール、１０  ボルト、１１  切欠部、１２  ＬＥＤモジュール、１３  軸孔、１４  ボルト（移動手段）、１５ａ  第１のローラ（移動手段）、１５ｂ  第２のローラ（移動手段）、１６  蝶ナット、１７  第１の片部、１８  第２の片部、１９  固定孔、２０  縦位置調整孔、２１  スライド取付金具、２２  蝶ネジ、２４  固定ネジ、２５  照明板、３０  電源装置、３１  かご、３２  電極レール、３３  挟み金具、３４  電極端子、３５  第１の配線、３６  メス側コネクタ、３７  オス側コネクタ、３８  第２の配線。
【図１】
2012171780.tif 000003
【図２】
2012171780.tif 000004
【図３】
2012171780.tif 000005
【図４】
2012171780.tif 000006
【図５】
2012171780.tif 000007
【図６】
2012171780.tif 000008
【図７】
2012171780.tif 000009
【図８】
2012171780.tif 000010